(57)【要約】【課題】  カバー体を道路用標識具に確実に固定することができるだけでなく、工具などを用いることなく容易に固定状態を解除することができる道路用標識具を提供することを目的とする。【解決手段】  上下端が開放されたほぼ円錐台形状の標識具本体２と、標識具本体２の側面及び上面を覆うカバー体３と、カバー体３を挟持保持するためのキャップ体４とを備え、キャップ体４の下面のうち、標識具本体２の上端開口部８に対応する複数箇所に、該上端開口部８を通して該標識具本体２の内部に入り込んで該標識具本体２の内側面２Ａに形成の被係止部１５に係止するための係止部１４を有する垂直片１０を外力付与により該上端開口部８の中心側へ変位可能に備えさせ、係止部１４を係止解除するための操作片１６を標識具本体２に下方から手を入れて操作可能な状態で前記垂直片１０に備えさせる。【選択図】        図１
2005139620.tif 000002
【特許請求の範囲】
【請求項１】
上下端が開放された筒状でほぼ円錐台形状の標識具本体と、前記標識具本体の上方から被せることにより該標識具本体の側面及び上面を覆うことができる寸法に構成されたカバー体と、前記標識具本体の上面を覆ったカバー体を上方から押さえることにより該カバー体を挟持保持するためのキャップ体とを備え、前記キャップ体の下面のうち、前記標識具本体の上端開口部に対応する複数箇所に、該上端開口部を通して該標識具本体の内部に入り込んで該標識具本体の内側面に形成の被係止部に係止するための係止部を有する垂直片を外力付与により該上端開口部の中心側へ変位可能に備えさせ、前記被係止部に係止している係止部を係止解除するための操作片を前記標識具本体に下方から手を入れて操作可能な状態で前記垂直片に備えさせたことを特徴とする道路用標識具。
【請求項２】
前記上端開口部に、前記垂直片を上下方向で接当案内するための案内溝を備えさせてなる請求項１記載の道路用標識具。
【請求項３】
前記カバー体が、合成樹脂製又は紙製で、かつ、薄肉シート状に構成されてなり、前記キャップ体の下面に、前記カバー体を貫通して前記標識具本体上面に形成の凹部又は貫通孔に係止可能な突出部を備えてなる請求項１又は２記載の道路用標識具。
【請求項４】
前記キャップ体のほぼ中心部にライト体を挿入することができる開口部を備え、その開口部に、前記ライト体の側面に備える突起部を上下方向で接当案内するための補助案内溝を備えてなる請求項１〜３のいずれか１項に記載の道路用標識具。
【請求項５】
前記キャップ体の開口部に前記ライト体を挿入することにより、前記補助案内溝に対して接当案内される前記突起部を前記ライト体の上下軸芯方向に２つ設け、それらの突起部を前記ライト体の上下軸芯方向視において重複しない位置で、かつ、該上下軸芯方向と直交する水平方向視において所定間隔を隔てた位置にそれぞれ備えさせ、前記キャップ体の開口部に前記ライト体を挿入する際に、前記２つの突起部のうち、前記キャップ体側へ位置する第１の突起部を前記補助案内溝に接当案内させてから該補助案内溝から外れた位置にて所定角度該ライト体を上下軸芯周りで回転させて残りの第２の突起部を前記補助案内溝に接当案内させた状態で、該ライト体の挿入位置を規制する規制用段部又は規制用突出部を該ライト体に備えさせてなる請求項４記載の道路用標識具。
【発明の詳細な説明】
【技術分野】
【０００１】
本発明は、道路に設置され交通などの規制を行うためのコーンと呼ばれる道路用標識具に関するものである。
【背景技術】
【０００２】
従来、道路用標識具は、円錐状又は円錐台形状の本体を形成し、この本体側面に標識を印刷したり、反射テープなどのテープを貼着したりして構成され、この道路用標識具を道路の傍らなどに設置している。
【０００３】
そして、前記道路用標識具は、道路傍に設置されて使用されるため、泥や排気ガスなどによってその表面が汚れやすい。そのため、標識が印刷されたカバー体若しくは透明なカバー体を標識本体に着脱自在に被せて、カバー体が汚れたり標識の模様を変更する場合に、このカバー体を取り替えることができるようにしている。
前記道路用標識具の本体にカバー体を固定するためには、本体上部の外側面に環状の凹部を設けるとともに、本体上部に外嵌可能でかつ下方が開放されたキャップ体の環状部の内面に、前記凹部に係合する環状の凸部を設けて、前記環状の凹部にまで前記カバー体の上部を被せた状態で前記キャップを本体上部に外嵌させることにより、凹部と凸部との間で該カバー体を挟持保持することで該カバー体を本体上部に固定している（例えば、特許文献１参照。）。
【特許文献１】特開２００２−２５００１７号公報
【発明の開示】
【発明が解決しようとする課題】
【０００４】
しかしながら、道路用標識具の本体の上部の外側面に設けられた環状凹部に、キャップ体の環状凸部を係合させてカバー体を挟持固定する構成では、キャップが本体から容易に外れることがないように前記係合を強固なものにしなければならない。その結果、キャップ体が本体に強固に固定されることになるため、前記係合を解除することが難しく、場合によっては、工具等を使用しなくてはならないことがあった。
【０００５】
本発明は、かかる問題に鑑みてなされたものであり、カバー体を道路用標識具に確実に固定することができるだけでなく、工具などを用いることなく容易に固定状態を解除することができる道路用標識具を提供することを目的とする。
【課題を解決するための手段】
【０００６】
前記目的を達成するために、本願発明の道路用標識具は、上下端が開放された筒状でほぼ円錐台形状の標識具本体と、前記標識具本体の上方から被せることにより該標識具本体の側面及び上面を覆うことができる寸法に構成されたカバー体と、前記標識具本体の上面を覆ったカバー体を上方から押さえることにより該カバー体を挟持保持するためのキャップ体とを備え、前記キャップ体の下面のうち、前記標識具本体の上端開口部に対応する複数箇所に、該上端開口部を通して該標識具本体の内部に入り込んで該標識具本体の内側面に形成の被係止部に係止するための係止部を有する垂直片を外力付与により該上端開口部の中心側へ変位可能に備えさせ、前記被係止部に係止している係止部を係止解除するための操作片を標識具本体に下方から手を入れて操作可能な状態で前記垂直片に備えさせる。
【０００７】
したがって、垂直片が外力付与により上端開口部の中心側へ変位しない限り、被係止部から係止部が係止解除されることがないから、標識部本体の上面とキャップ体の下面との間にカバー体を確実に挟持固定することができる。そして、前記係止を解除する場合には、標識具本体の下方（下端開口部）から手を入れて、キャップ体に備えられた操作片を上端開口部の中心側に変位させるだけで、キャップ体が標識具本体に係止している状態を解除でき、工具などを使用することなく、前記カバー体を標識具本体から容易に離脱させることができる。
【０００８】
また、前記上端開口部に、前記垂直片を上下方向で接当案内するための案内溝を備えさせてもよい。
【０００９】
また、前記カバー体が合成樹脂製又は紙製で、かつ、薄肉シート状でなり、前記キャップ体の下面に、前記カバー体を貫通して前記標識具本体上面に形成の凹部又は貫通孔に係止可能な突出部を備えさせて、カバー体をより一層確実に本体に固定するようにしてもよい。
【００１０】
また、前記キャップ体のほぼ中心部にライト体を挿入することができる開口部を備え、その開口部に、前記ライト体の側面に備える突起部を上下方向で接当案内するための補助案内溝を備えてもよい。
【００１１】
また、前記キャップ体の開口部に前記ライト体を挿入することにより、前記補助案内溝に対して接当案内される前記突起部を前記ライト体の上下軸芯方向に２つ設け、それらの突起部を前記ライト体の上下軸芯方向視において重複しない位置で、かつ、該上下軸芯方向と直交する水平方向視において所定間隔を隔てた位置にそれぞれ備えさせ、前記キャップ体の開口部に前記ライト体を挿入する際に、前記２つの突起部のうち、前記キャップ体側へ位置する第１の突起部を前記補助案内溝に接当案内させてから該補助案内溝から外れた位置にて所定角度該ライト体を上下軸芯周りで回転させて残りの第２の突起部を前記補助案内溝に接当案内させた状態で、該ライト体の挿入位置を規制する規制用段部又は規制用突出部を該ライト体に備えさせてもよい。
【発明の効果】
【００１２】
以上にしてなる本願発明に係る道路用標識具は、垂直片に上端開口部の中心側へ変位させる外力が加わらない限り、キャップ体の係止部と標識具本体の被係止部とが係止状態を維持することができるので、標識具本体の上面とキャップ体の下面で、カバー体を確実に挟持固定することができる。しかも、前記係止が本体内部で行われるため、他物が係止部に接当することを本体にて阻止することができ、不測に係止解除操作されることのない信頼性の高い道路用標識具を提供することができる。また、標識具本体の下方から手を入れて操作片を手で操作するだけで、前記係止部と被係止部との係止状態を容易に解除することができるので、工具などを用いることなくカバー体を容易に取り替えることができる。
【００１３】
また、標識具本体の上端開口部には、垂直片を接当案内する案内溝を備えているので、キャップ体を標識具本体に案内溝を介して迅速かつスムーズに挿入することができる。また、案内溝にてキャップ体が本体に対して回転することを阻止することができる。
【００１４】
また、キャップ体の下面に備えられる突起部が、カバー体を貫通するので、カバー体が本体に対して位置ずれし難くなり、カバー体を本体により一層確実に固定することができる。
【００１５】
キャップ体のほぼ中央にライト体を挿入可能な開口部を備えているので、ライト体を開口部から補助案内溝を介して迅速かつスムーズに挿入して標識具本体にライト体を設置することができる。また、ライト体を挿入していない場合には、前記開口部に手を入れて道路用標識具を把持することもできるので、容易に道路用標識具を移動することができる。
【００１６】
ライト体を道路用標識具に挿入していくと、ライト体の側面に備えた規制用段部又は規制用突出部がキャップ体の上面に接当してライト体の挿入位置を規制するので、該ライト体の重量がキャップ体の上面に掛かり、より強固にカバー体を挟持固定することができる。また、ライト体を道路用標識具に挿入した状態では、第２の突起部が補助案内溝に接当案内されているため、ライト体の上下軸芯周りでの回転を阻止することができるだけでなく、ライト体を上方に抜き上げる場合には、第１の突起が上端開口部の下面に接当することによって、ライト体の抜き上げを阻止することができる。
【発明を実施するための最良の形態】
【００１７】
図１は、プラスチック（合成樹脂）製の道路用標識具１にライト体５を挿入した状態を斜め上方から見た図であり、図２は、標識具本体２（以下本体２と称す。）の上部、カバー体３の上部、及びキャップ体４を示した図である。
道路用標識具１は、図１に示すように、上下端が開放される筒状でかつ下側ほど直径が大となるほぼ円錐台形状の本体２と、この本体２の上方から被せて本体２の側面及び上面を覆うカバー体３と、前記カバー体３を上方から押さえて前記カバー体３を挟持固定（挟持保持）するキャップ体４とによって構成されている。前記本体２の下部には、平面視（上下方向視）において本体の下端よりも幅広に構成されたほぼ正方形状で上下方向において所定の高さを有する台部６が一体形成されており、前記本体２が安定して立ち姿勢を持続できるようになっている。また、図１に示すように、道路用標識具１は上方にライト体５を備えることもでき、このように上方に重量のあるものを設置したときでも安定して立ち姿勢を維持できるように、前記台部６の重量は重い方が好ましい。ただし、道路用標識具１の下方から手を入れて、後述する前記キャップ体４に備えられる係止片を操作できるように開口されている必要がある。なお、台部６の形状は図１に示した、正方形状に限定されるものではなく円形であってもよいし、その他の形状であってもよく、また台部６の上下高さも図１で示したものよりも薄く例えば板状であってもよい。また、本体２が前記のように合成樹脂からなる場合には、前記本体２と前記台部６とを一体成形することができるが、防水性を有する紙や金属などで構成する場合には、それらを別体形成してそれらを一体化するようにしてもよい。また、本体２の上端面７には図２に示すように、上端開口部８が設けられ、後述する係止部１４を備える垂直片１０を上下方向で接当案内する平面視ほぼコの字状の案内溝９を上端開口部８の内側面に備えている。なお、上端開口部８の上下方向の厚みは、図７に示すように、前記上下方向に長い縦向きの案内溝９が形成することができるように厚く（大きく）構成され、しかもこのように構成することで外部から力が加わっても容易に変形しないようになっている。
【００１８】
前記カバー体３は、図１及び図２に示すように、前記本体２の側面のほぼ全体と、上端面７の一部（全体でもよい）を覆うことができるように、上下端が開放されると共に下側ほど大きな直径を有するほぼ円錐台形状に構成されたカバーであり、下端開口から本体２に被せて装着するようになっている。又、前記カバー体３は、合成樹脂や紙（防水処理された紙）などからできた薄いシートであり、厚さとしては約０．０５〜３ｍｍである。このカバー体３の表面は、図１に示すように、白色の反射シートが貼付又は塗布（印刷）された反射部１１と、赤色の赤色部１２とによって縞模様になっている。なお、カバー体３の模様としては、図１に示したような模様以外に、横に水平な縞模様であったり、無地（単色）や、前記本体２の表面の模様や色がそのまま見えるように透明なシートであってもよい。また、反射部１１は白色の反射シート以外の黒色や黄色、無反射の白色など他の色でもよく、赤色部１２も、白色、青色、緑色、黄色などの色であってもよい。カバー体３の上端に、図２に示すように、前記上端面７を覆うことができるように水平方向に折り曲げられた円環状の延出部１７を一体形成してあり、該延出部１７によってできたカバー体用開口部１３を備えている。なお、カバー体３に前記カバー体用開口部１３を備えずに、本体２の上面の全体を覆うようにしてもよい。
【００１９】
前記キャップ体４は、プラスチック（合成樹脂）製でなり、図３〜６に示すように、中心に開口２１が形成された円環状の水平板部４Ａと、この水平板部の外周縁から下方に垂下した縦板部４Ｂと、前記水平板部４Ａの下面でかつ開口２１縁の２箇所にそれぞれ相対向する状態で下向きに延びる垂直片１０とが一体形成されており、該垂直片１０の上下方向途中位置に係止部１４がキャップ体４の径方向外側に向かってほぼ水平にそれぞれ突出する状態で備えられている。そして、図７（ａ）に示すように、この係止部１４が前記上端開口部８の内側面に形成された被係止部（段部）１５に係止して、該キャップ体４が本体２からの離脱を防いでいる。また、図２に示すように、本体２の上面に前記カバー体３を上方から被せた後、前記一対の垂直片１０，１０を一対の案内溝９，９の位置に合わせて、一対の係止部１４，１４が前記被係止部１５，１５に係止するまで該キャップ体４を挿入できるようになっている。したがって、図７（ａ）に示すように、前記本体２の上端面７と前記キャップ体４の前記下面１８とによって、前記本体２の上端面７を覆っているカバー体３の延出部１７を挟持固定し、カバー体３を固定することができるようにしている。前記係止部１４を複数設ける方が、該キャップ体４が本体２からの離脱をより一層確実に阻止することができるが、１個設けて実施してもよい。
【００２０】
また、前記垂直片１０の下端に下方に延びる操作片１６を備えさせている。従って、本体２の下部から手を入れて該操作片１６と本体２の内側面２Ａとの間に発生している隙間に指を入れてから、該操作片１６を上端開口部８の中心側に変位させることによって、前記被係止部１５から係止部１４を係止解除させて、本体２からキャップ体４を容易に離脱させることができるようにしている。
なお、被係止部１５は図７（ａ）では、前記上端開口部８を上下方向に長い開口部となるように径方向内方側へ突出する突出部Ｔの下面１５から構成したが、図８に示すように、前記上端開口部８を構成する突出部Ｔの内側面のうちの上下方向ほぼ中央部に前記被係止部（周溝）１５Ａを備えさせ、該被係止部１５Ａに係止するように係止部１４Ａを垂直片１０の上下方向中間部に備えさせてもよい。
【００２１】
また、図５及び図７（ｂ）に示すように、前記カバー体３の延出部１７をカバー体３の装着に伴って上方から貫通する突出部１９を、前記キャップ体４を構成する水平板部４Ａの下面１８に円周方向に沿って所定間隔を置いて４箇所備えている。この突出部１９の先端は、前記カバー体３を貫通容易とするために、突出部１９の途中から下方に向かって細くなっている。そして、キャップ体４を本体２に装着したときに、前記突出部１９が入り込む貫通孔２０を前記本体２の上面の４箇所に備えて、カバー体３が本体２に対して位置ずれすることがないようにしている。なお、前記突出部１９及び前記貫通孔２０は、それぞれ４箇所に設けられているが、３箇所以下であっても、５箇所以上設けてもよいし、場合によっては無くてもよい。
【００２２】
また、図９に示すように、前記キャップ体４のほぼ中央に形成された円形の開口部２１を通して、本体２の内部にライト体５を挿入できるようにしている。前記ライト体５は、ほぼ棒状の棒体部２６の上端にライト（照明部）２５を備えたものからなり、前記ライト体５の側面に備える上下一対の突起部２３ａ，２３ｂを順次上下方向で接当案内しながらライト体５を本体２に装着するための補助案内溝２２を、前記開口部２１の周縁のうちの前記垂直片１０が位置する箇所とは異なる位置に設けている。また、前記キャップ体４を本体２に装着した状態で、前記補助案内溝２２に対応する前記上端開口部８の箇所に、平面視ほぼコの字状で上下方向に長い縦向きの単一の上端開口部用補助案内溝２４を備えさせている。
【００２３】
図９に示すように、前記突起部２３ａ，２３ｂを、前記ライト体５の上下軸芯方向視において重複しない位置で、かつ、該上下軸芯方向と直交する水平方向視において所定間隔を隔てた位置にそれぞれ備えさせ、前記キャップ体４の開口部２１に前記ライト体５を挿入する際に、前記２つの突起部２３ａ，２３ｂのうち、前記キャップ体４側へ位置する（図では下側の）第１の突起部２３ａを前記補助案内溝２２に接当案内させてから該補助案内溝２２から外れた位置にて所定角度該ライト体５を上下軸芯Ｘ周りで回転させて残りの第２の突起部２３ｂを前記補助案内溝２２に接当案内させた状態で、該ライト体５の挿入位置を規制する規制用段部２９（一箇所又は複数箇所に設けた規制用突出部であってもよい）を該ライト体５に備えさせている。
したがって、図９の二点鎖線で示すように、第１の突起部２３ａを補助案内溝２２にて接当案内させながらライト体５の下端を本体２の内部に挿入する。そして、第２の突起部２３ｂの先端面（下端面）がキャップ体４の上面２９に接当する前にの状態（図９の二点鎖線で示す状態）においてライト体５を上下軸芯Ｘ周りで１８０°反時計回り（時計回りでもよい）に回転させて、第２の突起部２３ｂを補助案内溝２２にて接当案内させながらライト体５を更に本体の内部に挿入し、棒体部２６の段部２７がキャップ体４の上面に接当することにより本体２へのライト体５の挿入が完了するのである（図９参照）。尚、第２の突起部２３ｂの先端面（下端面）がキャップ体４の上面に接当した後にライト体５を上下軸芯Ｘ周りで１８０°反時計周り（時計周りでもよい）に回転させるようにしてもよい。ここでは、第１突起部２３ａと、第２突起部２３ｂとを、ライト体５の棒体部２６の周方向においてほぼ１８０度の位相が異なる位置にそれぞれ備えさせたが、１８０°よりも小さな角度であってもよい。又、前記第１の突起部２３ａの上端面と第２の突起部２３ｂの下端面との距離を、キャップ体４の上面と上端開口部８の下端面２８との間の距離と同等になるように設定すれば、ライト体５を上方へ引き上げることができない構成にすることができる。このように、二つの突起部２３ａ，２３ｂとを、ライト体５の側面の下端位置とそれよりも上側の位置とに備えさせることによって、ライト体５をキャップ体４（本体２）に設置したときには、前記上端開口部用補助案内溝２４と第２の突起部２３ｂとが係合しているので、上下軸芯Ｘの回転を阻止することができ、さらに、ライト体５を上方に移動するときには、前記上端開口部８の下端面２８に前記第１の突起部２３ａが接当して、上方への移動を阻止することができる。
【図面の簡単な説明】
【００２４】
【図１】道路用標識具にライト体を挿入した状態を斜め上方から見た斜視図である。
【図２】標識具本体、カバー体、キャップ体のそれぞれの上部を示した図である。
【図３】キャップ体を斜め上方から見た斜視図である。
【図４】キャップ体の側面図である。
【図５】キャップ体を下方から見た図である。
【図６】キャップ体の断面図である。
【図７】（ａ）は、２つの垂直片を含むように切断した道路用標識具の上部の断面図であり、（ｂ）は、２つの突出部を含むように切断した道路用標識具の上部の断面図である。
【図８】被係止部が案内溝の途中に備えられている道路用標識具の上部の断面図である。
【図９】ライト体を挿入した道路用標識具の上部の断面図である。
【符号の説明】
【００２５】
１  道路用標識具        ２  標識具本体
２Ａ  内側面            ３  カバー体
４  キャップ体          ４Ａ  水平板部
４Ｂ  縦板部            ５  ライト体
６  台部                ７  上端面
８  上端開口部          ９  案内溝
１０  垂直片          １１  反射部
１２  赤色部
１３  カバー体用開口部
１４  係止部          １５  被係止部
１６  操作片          １７  延出部
１８  下面            １９  突出部
２０  貫通孔          ２１  開口部
２２  補助案内溝      ２３  突起部
２３ａ  突起部        ２３ｂ  突起部
２４  上端開口部用補助案内溝
２５  ライト          ２６  棒体部
２７  段部            ２８  下端面
２９  規制用段部        Ｔ  突出部
Ｘ  上下軸芯
【図１】
2005139620.tif 000003
【図２】
2005139620.tif 000004
【図３】
2005139620.tif 000005
【図４】
2005139620.tif 000006
【図５】
2005139620.tif 000007
【図６】
2005139620.tif 000008
【図７】
2005139620.tif 000009
【図８】
2005139620.tif 000010
【図９】
2005139620.tif 000011